(57)【要約】【課題】照明器具取付装置本体の下面中央部にランプユニットを取り付けるユニット接続部または受金ベース部を設けることで、要求に応じた明るさのランプユニットが取付可能となり、保安灯レベルから切替モードにより丸形蛍光管の点灯時に起こりうる中央部陰の発生を無くし、照明器具のセード全体を照らすことが可能なランプユニット取付可能な照明器具取付装置を提供する。【解決の手段】照明器具取付装置本体１に、照明器具本体１５と着脱自在に係合する一対の係止爪２を出没自在に突出方向に付勢して設けると共に、前記照明器具取付装置本体１の下面中央部にランプユニットを取り付ける為のユニット接続部６または受金ベース部１２を設け、電源及びモードの切替えは集束した接続コード１０の末端に接続用の電源コネクター１１と照明器具本体１５からのコネクターを接続することにより可能となる照明器具取付装置。【選択図】図２
2007214099.tif 000002
【特許請求の範囲】
【請求項１】
天井に装着可能な照明器具取付装置本体に、照明器具本体と着脱自在に係合する一対の係止爪を出没自在に、且つ、突出方向に付勢して設けると共に、前記照明器具取付装置本体にＬＥＤ光源を採用したランプユニットを取り付けるためのユニット接続部を下面中央部に設けたことを特徴とするランプユニット取付可能な照明器具取付装置。
【請求項２】
前記照明器具取付装置は、受金付きランプを取り付ける為の受金ベースを備えた請求項１記載のランプユニット取付可能な照明器具取付装置。
【発明の詳細な説明】
【技術分野】
【０００１】本発明は、ランプユニットを取り付ける為のランプユニット接続部または受金を備えた照明器具取付装置に関するものである。
【背景技術】
【０００２】従来の丸形蛍光管を採用した照明器具において、照明器具の器具本体中央部には、照明器具本体を天井に対して取り付けられる為の照明器具取付装置が嵌合されて配置されるため、点灯時に照明器具のセード中央部に影が発生していた。また、保安灯においては前記照明器具取付装置が取り付けられているため、照明器具本体の中心部から離れた位置に前記保安灯が設置され、それにより照射が偏り効率の面から不具合を生じていた。
【発明の開示】
【発明が解決しようとする課題】
【０００３】本発明の第１の目的は、ランプ光源を取り付ける為のランプユニット接続部または受金ベース部を照明器具取付装置に備えることで、補助光源が照明器具本体の中央部に配置され、丸形蛍光管の点灯時における中央部の影をなくし、保安灯に切り替えて使用しても、中央部に位置されているために効率良く照射が可能となる照明器具取付装着を提供することにある。
【課題を解決するための手段】
【０００４】本発明の照明器具取付装置は、天井に設置してある引掛シーリングに対して取り付けると共に照明器具本体を着脱可能に取り付けて支持するものであって、上記の課題を解決するために、ランプユニットを取り付けるためのランプユニット接続部または受金ベース部を前記照明器具取付装置本体の下面中央部に設けたことを特徴とする。【０００５】また、前記照明器具取付装置に設けられているランプユニット接続部または受金ベース部の電源及び切替えは、集束した接続コードの末端に接続用のコネクター同士を接離自在に接続可能な構成とした。
【発明の効果】
【０００６】請求項１に係わる発明によれば、ランプユニットの光源を照明器具取付装置を介して器具本体の中央部に配置することで、丸形蛍光管点灯と共に前記ランプユニットの光源を点灯させることでセード中央部に発生する影を無くしセード全体を効率良く照射するという効果がある。【０００７】請求項２に係わる発明によれば、照明器具取付装置本体の下面部に備えられているランプユニット接続部を受金ベース部にすることで電球型蛍光ランプ及び受金を備えた多種のランプが使用可能となる。
【発明を実施するための最良の形態】
【０００８】以下、本発明の実施の形態を図面を参照して説明する。
図１は、照明器具取付装置１及びＬＥＤランプユニット７ａ・７ｂの下方向から見た斜視図である。照明器具取付装置本体１は、天井１８に設置されている図示しないシーリングローゼットに引っ掛ける一対の栓刃４ならびに照明器具本体１５と着脱自在に係合する一対の係止爪２を出没自在に、且つ、突出方向に付勢して設けると共に、前記照明器具取付装置本体１の下面中央部にＬＥＤランプユニット７ａ及び７ｂを目的に応じた照度の違うランプユニットを電気的接続をするためのユニット接続部６とにより構成されている。【０００９】図２は、照明器具取付装置本体１にＬＥＤランプユニット７ａをユニット接続部６に接続した下方向からの斜視図である。照明器具取付装置本体１に設けれている電源コネクター１１は、照明器具本体１５への電源及びＬＥＤランプ切替及びモード切替を目的とし、照明器具本体１５からのコネクター同士を接離自在に接続可能に構成されている。【００１０】図３及び図４は、前記照明器具取付装置本体１の下面中央部に受金ベース部１２を設け電球型蛍光灯１３及びＬＥＤランプ１４の受金を有するランプを取り付けることが可能な構成としてある。【００１１】図５及び図６は、当核照明器具取付装置本体１を天井１８に設置してある図示しないシーリングローゼットに引っ掛け、照明器具本体１５を取り付けた斜視図である。照明器具取付装置本体１の下面中央部にＬＥＤランプユニット７ｂが電気的接続され、収束された接続コード１０の末端に設けてある接続用コネクター１１を照明器具本体１５から配線されている図示しない接続コネクターを接続することで照明器具本体１５への電源及びＬＥＤランプユニット７ａ及び７ｂの切替動作が可能な構成としている。【００１２】以上により、照明器具取付装置本体１の下面中央部に各種のランプユニットを着脱可能な取付手段を備え、用途に応じてランプユニットを取り付けることにより、丸形蛍光管１６を点灯した時にはセード中央部の影の発生を解消し、また、保安灯としてのランプユニットを取り付けた場合、保安灯の位置が中央部となることで、暗がり時に効率良く照らすことが可能となる。さらに、切替操作により一つのランプユニットで保安灯から中央部の影を解消させるレベルまで可変照射を可能にした調光機能を備えることも可能なランプユニット取付可能な照明器具取付装置である。
【図面の簡単な説明】
【００１３】
【図１】  照明器具取付装置本体及びランプユニットの斜視図。
【図２】  照明器具取付装置本体にランプユニットを取り付けた斜視図。
【図３】  受金を備えた照明器具取付装置本体及びランプユニットの斜視図。
【図４】  照明器具取付装置本体にランプユニットを取り付けた斜視図。
【図５】  照明器具取付装置本体に照明器具本体を取り付けた斜視図。
【図６】  天井に取り付けられた照明器具本体にセードを挿嵌させた斜視図。
【付号の説明】
【００１４】  １    照明器具取付装置本体
２    係止爪
３    ロック釦
４    栓刃
５    器具解除レバー
６    ユニット接続部
７ａ  ＬＥＤユニットランプ（大）
７ｂ  ＬＥＤユニットランプ（小）
８    接続用コネクター部
９    ＬＥＤ光源
１０    接続コード
１１    電源コネクター
１２    受金ベース部
１３    電球型蛍光灯
１４    ＬＥＤランプ
１５    照明器具本体
１６    丸形蛍光管
１７    セード
１８    天井
【図１】
2007214099.tif 000003
【図２】
2007214099.tif 000004
【図３】
2007214099.tif 000005
【図４】
2007214099.tif 000006
【図５】
2007214099.tif 000007
【図６】
2007214099.tif 000008